(57)【要約】【課題】  固体試料に含まれるホウ素の定量分析をより迅速に、かつ正確に行うことができる方法を提供すること。【解決手段】  電気炉を用いて、５００〜１０００℃で石炭試料の灰化とアルカリ融解を同時に行う工程と、灰化融解した前記試料に硫酸及びリン酸を添加した混合溶液を加熱溶解する工程と、加熱溶解した前記混合溶液に、フッ化水素、メチレンブルー試薬、及びジクロロエタンを順に添加してジクロロエタン層と水層とに分離する工程と、硫酸銀を用いて前記ジクロロエタン層を洗浄する工程と、洗浄した前記ジクロロエタン層を脱水処理する工程と、脱水処理した前記ジクロロエタン層の吸光度を測定する工程により、試料に含まれるホウ素の定量分析を迅速に、かつ正確に行うことができる。【選択図】なし【特許請求の範囲】
【請求項１】
試料に含まれるホウ素の定量分析方法であって、アルカリ融剤を用いて試料を電気炉で灰化融解する工程と、灰化融解した前記試料に硫酸及びリン酸を添加した混合溶液を加熱溶解する工程と、加熱溶解した前記混合溶液に、フッ化水素、メチレンブルー試薬、及びジクロロエタンを順に添加してジクロロエタン層と水層とに分離する工程と、硫酸銀を用いて前記ジクロロエタン層を洗浄する工程と、洗浄した前記ジクロロエタン層を脱水処理する工程と、脱水処理した前記ジクロロエタン層の吸光度を測定する工程と、を含むことを特徴とするホウ素の定量分析方法。
【発明の詳細な説明】
【技術分野】
【０００１】
本発明は、ホウ素の定量分析方法に関する。
【背景技術】
【０００２】
従来、ホウ素の定量分析としては、例えば、以下の工程からなるメチレンブルー吸光光度法が用いられている（非特許文献１参照）。  
１．固体試料を管状炉で燃焼することにより得られた残渣及び排ガスをそれぞれ回収する（排ガスは吸収液（蒸留水）を用いて回収する。）。  
２．前記残渣に炭酸ナトリウムを添加した混合物を電気炉を用いて１０００℃で融解する。  
３．融解した前記混合物に硫酸及びリン酸を添加した混合溶液を加熱溶解する。  
４．前記混合溶液を濾過する。  
５．濾過した前記混合溶液と、前記排ガスを回収した吸収液とに、それぞれフッ化水素、メチレンブルー試薬、及びジクロロエタンを順に添加してジクロロエタン層と水層とに分離する。以下各々を独立に処理する。  
６．前記ジクロロエタン層を硫酸銀を用いて洗浄する。  
７．洗浄した前記ジクロロエタン層を脱水処理する。  
８．脱水処理した前記ジクロロエタン層の吸光度を測定する。  
９．前記濾過した混合溶液中のホウ素の含有量と、前記排ガスを回収した吸収液中のホウ素の含有量とを合算する。  
【非特許文献１】工業排水試験方法（ＪＩＳＫ０１０２の４７．１〜４７．３），社団法人日本工業用水協会，１９９８年４月２０日
【発明の開示】
【発明が解決しようとする課題】
【０００３】
上述のように、従来のメチレンブルー吸光光度法においては、直接固体試料を定量分析することができないため、一端液体試料を調製し（上記１〜４の工程）、定量分析を行っていた。しかしながら、この液体試料の調製は、操作が煩雑で、かつ時間がかかる上、ホウ素の回収率が低いという問題があった。そのため、固体試料中のホウ素の定量分析を迅速かつ正確に行うことができなかった。
【０００４】
そこで、本発明は、固体試料に含まれるホウ素の定量分析を迅速に、かつ正確に行うことができる方法を提供することを目的とする。
【課題を解決するための手段】
【０００５】
本発明者は、上記課題を解決すべく、電気炉を用いて、５００〜１０００°で石炭試料の灰化とアルカリ融解を同時に行い、その後、灰化融解した前記試料に硫酸及びリン酸を添加して加熱溶解し、さらに、フッ化水素、メチレンブルー試薬、及びジクロロエタンを順に添加してジクロロエタン層と水層とに分離した後、硫酸銀を用いて前記ジクロロエタン層を洗浄し、さらに、無水硫酸ナトリウムを添加して脱水処理して前記ジクロロエタン層に含まれるホウ素の含有量を測定したところ、ＪＩＳ Ｋ０１０２に準拠したメチレンブルー吸光光度法と同程度の精度で、より迅速にホウ素の定量分析を行うことができることを見出し、本発明を完成するに至った。
【０００６】
すなわち、本発明に係る方法は、試料に含まれるホウ素の定量分析方法であって、アルカリ融剤を用いて試料を電気炉で灰化融解する工程と、灰化融解した前記試料に硫酸及びリン酸を添加した混合溶液を加熱溶解する工程と、加熱溶解した前記混合溶液に、フッ化水素、メチレンブルー試薬、及びジクロロエタンを順に添加してジクロロエタン層と水層とに分離する工程と、硫酸銀を用いて前記ジクロロエタン層を洗浄する工程と、洗浄した前記ジクロロエタン層を脱水処理する工程と、脱水処理した前記ジクロロエタン層の吸光度を測定する工程と、を含むことを特徴とする。
【発明の効果】
【０００７】
本発明によれば、固体試料に含まれるホウ素の定量分析を迅速に、かつ正確に行うことができる方法を提供することができる。
【発明を実施するための最良の形態】
【０００８】
上記知見に基づき完成した本発明を実施するための形態を、実施例を挙げながら詳細に説明する。
【０００９】
本発明に係る試料に含まれるホウ素の定量分析方法では、試料の灰化処理と融解処理を同時に行う。これらの処理は、アーク炉、誘導炉、プラズマ炉、電子ビーム炉などの電気炉を用いて行うことができる。このように試料の灰化処理と融解処理を同時に行うことにより、ガス状で揮散するホウ素量を減少させることができ、もって試料に含まれるホウ素の定量分析を精度よく行うことができるようになる。また、試料を灰化することにより、試料中に含まれる有機物を熱分解することができ、有機物とホウ素との吸着・反応を防止することができるようになる。もって、試料に含まれるホウ素の定量分析を精度よく行うことが可能になる。
【００１０】
前記試料としては、燃焼できるものであればどのようなものでもよく、石炭や石油などの化石燃料や、動物飼料、植物肥料などを用いることができる。また、前記アルカリ融剤としては、例えば、炭酸ナトリウム、硝酸ナトリウムなどのアルカリ金属を用いることができる。アルカリ融剤の添加量としては、試料を完全に融解できる量であれば特に制限されるものではないが、試料１ｇに対してアルカリ融剤１ｇを用いることが好ましい。
【００１１】
次に、融解処理した試料に硫酸及びリン酸を添加し、この混合溶液を１００℃以下で加熱溶解する。この処理により、後述するテトラフルオロホウ酸イオンを形成しやすくすることができる。なお、本実施の形態においては、加熱溶解する際に硫酸及びリン酸を添加することとしているが、硫酸、リン酸、硝酸、又はこれらの混合溶液などのホウ素を溶解できる酸性溶液を添加することとしてもよい。
【００１２】
次に、加熱溶解した混合溶液にフッ化水素を添加してテトラフルオロホウ酸イオンを生成させ、続いて、メチレンブルー試薬（3.7-ビス(ジメチルアミニフェノチアジン-5-イウムクロリド）及びジクロロエタンを添加してジクロロエタン層と水層に分離すると、ジクロロエタン層にその錯体が抽出される。このジクロロエタン層に含まれるヨウ化物および硫化物を除去するために硫酸銀を用いてジクロロエタン層を洗浄し、無水硫酸ナトリウムや無水酢酸などの脱水剤を用いて脱水処理する。このようにして得られたジクロロエタン層を波長６６０ｎｍの吸光度で測定することにより、ジクロロエタン層に含まれる錯体を定量することができるので、ホウ素の定量分析を行うことができる。なお、ジクロロエタン層と水層との分離は、遠心分離器を用いて行うことにより、より迅速にホウ素の定量分析を行うことができる。
【００１３】
以上のように、試料に含まれるホウ素の定量分析を行うことにより、ホウ素が多量に含まれる試料を特定することができ、また、このような試料の使用を避けることにより、環境汚染を未然に防止することができるようになる。
【００１４】
以下に本発明を実施例によって具体的に説明する。なお、これらの実施例は本発明を説明するためのものであって、本発明の範囲を限定するものではない。
【実施例１】
【００１５】
表１に示した各試料（ユインタプレミアム炭、グレゴリー炭、マウントオーエン炭、NIST SRM 1632C（標準石炭）など）を２５０μｍ以下に微粉砕したものを用いて、それらの石炭に含有するホウ素の定量を行った。まず、１ｇの各試料と１ｇの炭酸ナトリウムを白金皿にそれぞれのせて均一になるように十分に撹拌し、室温から５００℃までゆっくりと温度を上昇させ、５００℃で１０分間保持することにより、試料の予備加熱、揮発成分の分解を行った。５００℃で１０分間保持した後、１０００℃までゆっくりと温度を上昇させ、試料の灰化及び融解を同時に行った。
【００１６】
放冷後、融解処理した試料をテフロンビーカーに移し、蒸留水 ５０ｍｌ、（１+１）Ｈ２ＳＯ４ ５ｍｌ、及びＨ３ＰＯ４ ３ｍｌを添加して、加熱しながら溶解させた。その後、蒸留水を添加してポリメスフラスコで１００ｍｌに定容し、ホウ素の含有量が０．１〜１．０μｇとなるように適量をポリエチレン製の分液ロートに分取し、５％ フッ化水素 ３ｍｌを添加して５０℃のウォータバスに浸し、３０分間反応させた。そして、１ｍＭ メチレンブルー試薬 ３ｍｌを添加し、１，２−ジクロロエタン １０ｍｌを添加して1分間激しく振り混ぜた。
【００１７】
１０分間静置した後、分離したジクロロエタン層をポリエチレン製の分液ロートで回収し、０．３ｇ／ｌの硫酸銀 ５ｍｌを添加して1分間激しく振り混ぜて、ジクロロエタン層を洗浄した。１０分間静置後、５０ｍｌのトールビーカーにジクロロエタン層を回収し、無水硫酸ナトリウムで脱水処理した。その後、脱水処理したジクロロエタン層の一部を１０ｍｍの石英製の吸光セルに入れ、分光光度計（日立製；spectrophotometer U-3310）を用いて波長６６０ｎｍの吸光度を測定し、予め作成した検量線を用いてジクロロエタン層に含まれるホウ素の量を求め、試料１ｇに含まれるホウ素の含有量を算出し、試料１ｋｇに含まれるホウ素の含有量を算出した（手法１）。また、同じ試料に含まれるホウ素の定量をＪＩＳ Ｋ０１０２の４７．１に準拠した方法（手法２）により行った。それらの結果を表１に示す。
【００１８】
なお、表１において、試料１〜３の回収率は、手法２のホウ素の回収率を１００％とした時の値を示し、試料４の回収率は、試料４の保証値（６０ｍｇ／ｋｇ）を１００％とした時の値を示す。
【表１】
2005291970.tif 000002
【００１９】
表１に示すように、手法１のホウ素の回収率は、試料１〜３において手法２の回収率に比べおよそ６％増加した値が得られた。これは、電気炉を用いて灰化と溶融を直接的に同時に行うことにより、試料中のホウ素がガス状で揮散せずに完全に回収できたことによるものであると考えられる。従って、本発明の手法１を用いることにより、試料に含まれるホウ素の定量分析をより精度よく行うことができると考えられる。また、手法２は試料中のホウ素の定量分析に６時間も要したが、手法１はより短時間（５時間）で試料に含まれるホウ素の定量分析を行うことができた。